(57)【要約】【課題】術中において、ボトル内の生理食塩水が減少してもイリゲーション流出圧が変わらず、かつ生理食塩水を１又は複数の術者が術部へ同時に必要量流水を可能にすること。【解決手段】耐圧ボトル２のキャップ３に加圧チューブ１２と少なくとも１本以上のイリゲーションチューブ１０，１１とを結合し、圧力調整された圧縮空気２０を空気減菌フィルタ１３を備えた加圧チューブ１２を通して耐圧ボトル１内へ送り込み、ボトル内を所定の空気圧で加圧し、生理食塩水７をイリゲーションチューブ１０，１１を通して複数の術者が術部に同時に流水できる。この際術者が手元でバルブ手段３０を操作することで流水量の調節ができる。【選択図】図１
2007105193.tif 000002
【特許請求の範囲】
【請求項１】
生理食塩水などの液体を蓄える耐圧ボトルと、
空気源との間に配置される空気滅菌フィルタを備え、前記耐圧ボトルのキャップに結合されて該ボトル内に挿入され、該ボトル内に前記空気滅菌フィルタを通して空気を送り込む加圧チューブと、
前記耐圧ボトルのキャップに１本または複数本が結合されてボルト内の液中に没入され、前記液体を供給するイリゲーションチューブと、
前記１本または複数本の夫々イリゲーションチューブの先端側近傍に設けられ、該チューブを押圧変形させて液体流量を調節するバルブ手段と、から成ることを特徴とするイリゲーション装置。
【請求項２】
請求項１において、空気源が手術室に既設の空気配管であることを特徴とするイリゲーション装置。
【請求項３】
請求項１において、空気源が手術室に搬送可能な空気ボンベであることを特徴とするイリゲーション装置。
【発明の詳細な説明】
【技術分野】
【０００１】
本発明は、圧力調整された圧縮空気を空気減菌フィルタを介して、耐圧ボトル内へ送り込み、その空気圧を利用して、生理食塩水を術者へ提供する流水（イリゲーション）装置に関する。
【背景技術】
【０００２】
従来の外科的手術において用いられるイリゲーションシステムは、生理食塩水入りのボトルを単に高所に吊り下げ、該ボトルから出るイリゲーションチューブから自然落下によりイリゲーション液を流出させる方法、或いはシリンジを用いステンレスカップに満たされた生理食塩水を吸入し、必要部位に流水する方法などが用いられている。これらの方法は術者が適宜必要量を流水することが面倒且つ困難である。特に、前者ではイリゲーション液が少なくなってくるとボトル内の圧力が低下するため、加圧操作を適宜しなければならない。また、後者では一度に流入可能な量が極限られるため術者負担になる。
また、電気式のロータリーポンプ式も周知であるが、電源確保と装置が大掛かりになると共に、ポンプ始動後に生理食塩水が流入されるまでに若干の時間がかかることがある。更に、加圧によるイリゲーションの方法は生理食塩水が減少するにつれて圧力が下がり、その都度加圧しなければならない。
いずれの方法もイリゲーション液を術者の手元より流出させるイリゲーションチューブは１本に限られている。
【特許文献１】特開平７―５９７８９号公報
【特許文献２】特表平８―５０９３９７号公報
【発明の開示】
【発明が解決しようとする課題】
【０００３】
本発明の目的は、術中において、ボトル内の生理食塩水が減少してもイリゲーション流出圧が変わらず、かつ生理食塩水を１又は複数の術者が術部へ同時に必要量流水するのに好適なイリゲーション装置を提供することである。
【課題を解決するための手段】
【０００４】
請求項１の発明に係るイリゲーション装置は、生理食塩水などの液体を蓄える耐圧ボトルと、空気源との間に配置される空気滅菌フィルタを備え、前記耐圧ボトルのキャップに結合されて該ボトル内に挿入され、該ボトル内に前記空気滅菌フィルタを通して空気を送り込む加圧チューブと、前記耐圧ボトルのキャップに１本または複数本が結合されてボルト内の液中に没入され、前記液体を供給するイリゲーションチューブと、前記１本または複数本の夫々イリゲーションチューブの先端側近傍に設けられ、該チューブを押圧変形させて液体流量を調節するバルブ手段と、から成ることを特徴とする。
【０００５】
請求項２の発明は、請求項１において、空気源が手術室に既設の空気配管であることを特徴とする。
【０００６】
請求項３の発明は、請求項１において、空気源が手術室に搬送可能な空気ボンベであることを特徴とする。
【発明の効果】
【０００７】
本発明によれば、生理食塩水を蓄える耐圧ボトルに圧縮空気を送って加圧するので、術者が手元でバルブ手段の操作によって適宜必要量の流水が容易にできる。また、耐圧ボトル内の生理食塩水量が減ってきても、常時圧縮空気によって加圧されているので、術中において必要量の流水が確保される。更に、単一の耐圧ボトルのキャップに複数のイリゲーションチューブを結合して使用できるため、生理食塩水の管理がし易くなると共に、複数の術者が同時に流水を行うことができる。
【発明を実施するための最良の形態】
【０００８】
本発明は単一の耐圧ボトルのキャップに加圧チューブと少なくとも１本以上のイリゲーションチューブとを結合し、圧力調整された圧縮空気を空気減菌フィルタを備えた加圧チューブを通して耐圧ボトル内へ送り込み、その所定の空気圧で加圧し、生理食塩水を複数の術者が術部に同時に流水できるようにしたことで実現した。
【実施例１】
【０００９】
図１は本発明に係るイリゲーション装置の主要部を示す。図２はイリゲーションチューブに備えられるバルブ手段の一実施例を示す。
【００１０】
イリゲーション装置における、生理食塩水などのイリゲーション液７を入れた耐圧ボトル１は、術者に適宜流水２１（イリゲーション）を提供するもので、ボトル本体２の本体口部にはキャップ３を備えている。ボトル本体２はイリゲーション液７を送り出すための加圧に耐えられるように形成されており、その材質及び形状は適宜選択可能である。
キャップ３は耐圧ボトル１内へ圧縮空気２０を送り込むための加圧チューブ１２の差込口６と、イリゲーション液７を流水するための１又は複数のイリゲーションチューブ１０，１１の差込口４，５を備えている。
【００１１】
加圧チューブ１２は、その一端をキャップ３の差込口６に結合され、ボルト本体２の内部に挿入されており、その他端は空気源である手術室の既設の空気配管（図示省略）に接続される。空気源は既設の空気配管に限られず、搬送可能な空気ボンベでも構わない。
【００１２】
加圧チューブ１２のボトル本体２側と空気源側との間には、圧縮空気２０を滅菌するための滅菌フィルタ１３が設けられている。これにより、空気源から送られ耐圧ボトル１内へ送られる圧縮空気２０は滅菌され、イリゲーション液７が空気汚染されることがなくなる。
【００１３】
イリゲーションチューブ１０，１１は、一端をキャップ３の差込口４に結合され、ボルト本体２の内部に挿入されている。イリゲーションチューブ１０，１１の先端はキャップ３の近い位置にする。イリゲーションチューブ１０，１１の他端から術者の手元へイリゲーション液２１を提供する。イリゲーションチューブ１０，１１は、図示の如く２本に限らず、少なくとも１本をキャップ３の差込口に接続可能な構造である。
【００１４】
イリゲーションチューブ１０，１１の術者の手元には、イリゲーション液７の流水２１を手元で必要量の調節、或いは流水を止めるための、バルブ手段３０を備える。バルブ手段３０の押圧操作により、流水量を適宜調整することができる。
【００１５】
バルブ手段３０は、筒状のバルブ本体３１にボタン３２ａを有するバルブ３２を往復動可能に嵌入し、このバルブ３２の側面にはイリゲーションチューブ１０，１１が貫通する開口３４が設けられている。この開口３４はバルブ３２が動く方向にイリゲーションチューブ１０，１１が変形可能な広い空間に形成されている。開口３４にはボタン３２ａとは反対側の開口壁にバルブ３２の動く方向に突起３３が設けられている。
【００１６】
バルブ本体３１の側部にはイリゲーションチューブ１０，１１をバルブ３２の動き方向に直交する方向にチューブ貫通穴が穿設されている。通常時のバルブ３２はスプリングの力により、図２（Ａ）の矢印方向へ押し上げるよう付勢されており、イリゲーションチューブ１０を突起３３により押圧変形させ、イリゲーション液２１を止水する。
【００１７】
術者の操作により、ボタン３２ａを図２（Ｂ）の矢印方向へ押下することにより、バルブ３２と突起３３との間隔が広がり、イリゲーション液２１が流水される。術者のボタン３２ａを押下する力の加減により、イリゲーションチューブ１０が突起３３により押圧変形させられる断面積４０が変化し、流量を適宜調整することが可能である。
【００１８】
上記の実施例は、ボトルスタンドにボトル本体２を吊り下げて使用する形態で説明したが、本発明は上記の実施例に限定されるものではない。図３に示すようにボトル本体２を載置して使用する形態も含まれる。この場合は、加圧チューブ１２の先端をボトル本体２内に挿入し、イリゲーションチューブ１０，１１の先端をボトル本体２の底に、それぞれ近い位置にする。
【図面の簡単な説明】
【００１９】
【図１】本発明に係るイリゲーション装置の主要部を示す断面図である。
【図２】イリゲーションチューブに備えられるバルブ手段の一実施例の断面図である。
【図３】本発明に係るイリゲーション装置の他の実施例を示す断面図である。
【符号の説明】
【００２０】
１    イリゲーション装置
２    耐圧ボトル
３    キャップ
４，５，６    チューブ差込口
１０，１１    イリゲーションチューブ
１２    加圧チューブ
１３    滅菌フィルタ
２０    圧縮空気
２１    流水
３０    バルブ手段
【図１】
2007105193.tif 000003
【図２】
2007105193.tif 000004
【図３】
2007105193.tif 000005